(57)【要約】      （修正有）【課題】タンブラー本体内に収容した、例えば、お茶、コーヒー、紅茶、水、牛乳などの液体を一定温度に加熱することが可能で、保温性、携帯性に優れ、そのまま直接飲用でき、通勤、通学、小旅行などに広範に使用することができる加熱機能付きタンブラーを提供する。【解決手段】タンブラー本体１２内に配置され、タンブラー本体１２に収容した液体を加熱するヒーターと、タンブラー本体１２内に配置され、ヒーターによって加熱された液体の温度を感知する温度センサーと、タンブラー本体１２の底部を着脱自在に装着可能で、タンブラー本体１２体内のヒーターに通電する給電制御台３４と、給電制御台３４またはタンブラー本体１２内に配置され、温度センサーの検知温度に基づいて、ヒーターへの通電を入切制御する制御部とを備える。【選択図】図９
0003178503.tif 000002
【実用新案登録請求の範囲】
【請求項１】
内部に液体を収容可能で、保温性を有するタンブラー本体と、
前記タンブラー本体内に配置され、タンブラー本体に収容した液体を加熱するヒーターと、
前記タンブラー本体内に配置され、前記ヒーターによって加熱された液体の温度を感知する温度センサーと、
前記タンブラー本体の底部を着脱自在に装着可能で、前記タンブラー本体内のヒーターに通電する給電制御台と、
前記給電制御台またはタンブラー本体内に配置され、前記温度センサーの検知温度に基づいて、ヒーターへの通電を入切制御する制御部と、
を備えることを特徴とする加熱機能付きタンブラー。
【請求項２】
前記タンブラー本体の底部には、本体側着脱嵌合部を備え、
前記給電制御台には、前記本体側着脱嵌合部と嵌合する給電嵌合部を備え、
前記本体側着脱嵌合部に備えられたヒーター給電端子と、前記給電制御台に備えられたヒーター給電端子とが電気的に接続可能に構成されていることを特徴とする請求項１に記載の加熱機能付きタンブラー。
【請求項３】
前記本体側着脱嵌合部に備えられたセンサー給電端子と、前記給電制御台に備えられたセンサー給電端子とが電気的に接続可能に構成されていることを特徴とする請求項３に記載の加熱機能付きタンブラー。
【請求項４】
前記給電制御台には、前記タンブラー本体の下部を支持する外周フランジが形成されていることを特徴とする請求項１から３のいずれかに記載の加熱機能付きタンブラー。
【考案の詳細な説明】
【技術分野】
【０００１】
本考案は、タンブラーに関し、より詳細には、保温性を有するタンブラー内に収容した、例えば、お茶、コーヒー、紅茶、水、牛乳などの液体を一定温度に加熱することが可能な加熱機能付きタンブラーに関する。
【背景技術】
【０００２】
従来、この種のタンブラーは、カップ形状、ボトル形状などであり、例えば、真空断熱構造、断熱材を用いた断熱構造を備えたもの、断熱材を用いない構造のものなどがあり、ステンレス、合成樹脂から構成されている。このため、保温性に優れ、携帯性に優れるため、通勤、通学、小旅行などに広範に使用されるようになっている。
【先行技術文献】
【特許文献】
【０００３】
【特許文献１】特開２０１１−２４４８７７号公報
【考案の概要】
【考案が解決しようとする課題】
【０００４】
しかしながら、このような従来のタンブラーは、いずれも、加熱機能を備えておらず、タンブラーの上部から蓋体を取り外したり、蓋体に設けた開閉可能な注ぎ口を介して、別途、薬缶などで沸かして一定温度に加熱したお茶、コーヒー、紅茶などの液体を、タンブラーの容器本体内に注ぎ入れるように構成されている。
【０００５】
従って、別途、薬缶などで沸かして一定温度に加熱したお茶などを準備しなければならず、手間がかかることになる。また、いったんタンブラー内に収容した液体は、時間が経過するとともに、温度が低下するが、従来のタンブラーでは、このように温度が低下したタンブラー内の液体を加熱することができず、不便である。
【０００６】
なお、例えば、特許文献１（特開２０１１−２４４８７７号公報）に開示されるように、電気ケトルにおいては、加熱機構が備えられている。
【０００７】
すなわち、電気ケトル１００では、図１３に示したように、給電台１０２と、給電台１０２に載置されるケトル本体１０４とを備えている。そして、給電台１０２は、円盤状の給電台本体１０６と、給電台本体１０６の上面中央部から上方に突出する電気接続端子部１０８と、電源コード１１０とを備えている。
【０００８】
また、ケトル本体１０４は、ケトル胴体１１２と、底体１１４と、蓋体１１６とを備えており、ケトル胴体１１２の内部には、液体が収容される内容器１１８が収容されている。そして、内容器１１８の底部外面には、図示しないが、ヒーターが配設されている。
【０００９】
しかしながら、このような電気ケトル１００は、内容器１１８に収容した液体を加熱（沸騰）することを目的とするものであって、別途用意したタンブラー、コーヒーカップなどの容器に注ぎ入れるためのものである。
【００１０】
また、この電気ケトル自体は大型であり、通勤、通学、小旅行などには、持ち運びに不便であり、また、保温性にも優れず、別途用意した保温性を有するタンブラーに電気ケトルから加熱した液体を注がなければならず面倒である。
【００１１】
本考案は、このような現状に鑑み、タンブラー内に収容した、例えば、お茶、コーヒー、紅茶、水、牛乳などの液体を一定温度に加熱することが可能で、保温性、携帯性に優れ、そのまま直接飲用でき、通勤、通学、小旅行などに広範に使用することができる加熱機能付きタンブラーを提供することを目的とする。
【課題を解決するための手段】
【００１２】
本考案は、前述したような従来技術における課題及び目的を達成するために考案されたものであって、本考案の加熱機能付きタンブラーは、
内部に液体を収容可能で、保温性を有するタンブラー本体と、
前記タンブラー本体内に配置され、タンブラー本体に収容した液体を加熱するヒーターと、
前記タンブラー本体内に配置され、前記ヒーターによって加熱された液体の温度を感知する温度センサーと、
前記タンブラー本体の底部を着脱自在に装着可能で、前記タンブラー本体内のヒーターに通電する給電制御台と、
前記給電制御台またはタンブラー本体内に配置され、前記温度センサーの検知温度に基づいて、ヒーターへの通電を入切制御する制御部と、
を備えることを特徴とする。
【００１３】
このように構成することによって、タンブラー本体の内部に、例えば、お茶、コーヒー、紅茶、水、牛乳などの液体を収容して、タンブラー本体の底部を給電制御台に装着する。これにより、タンブラー本体内のヒーターに通電され、タンブラー本体に収容した液体を加熱することができる。
【００１４】
また、タンブラー本体内に配置された温度センサーによって、ヒーターによって加熱された液体の温度が感知され、給電制御台またはタンブラー本体内に備えられた制御部により、温度センサーの検知温度に基づいて、ヒーターへの通電を入切制御され、タンブラー本体の内部に収容された液体を所定の温度に加熱することができる。
【００１５】
従って、このように所定の温度に加熱された液体を収容したタンブラー本体を、給電制御台から取り外すことによって、タンブラーとして、保温性、携帯性に優れ、そのまま直接飲用でき、通勤、通学、小旅行などに広範に使用することができる。
【００１６】
さらに、一定温度に加熱したお茶、コーヒー、紅茶、お湯、牛乳などの液体を別途準備したコップなどに移し替える必要がなく、そのまま直接飲用することができ便利である。
【００１７】
しかも、この場合、別途、薬缶などで沸かして一定温度に加熱したお茶などを準備する必要がなく、極めて便利である。
【００１８】
また、いったんタンブラー本体内に収容した液体は、時間が経過するとともに、温度が低下するが、本考案のタンブラーでは、タンブラー本体の底部を給電制御台に再び装着することによって、このように温度が低下したタンブラー本体内の液体を再び加熱することができ、非常に便利である。
【００１９】
さらに、この場合、ヒーターへの通電を入切制御する制御部が、給電制御台側に配置された態様では、タンブラー本体側を簡単な構造とすることができ、軽量化が図れ、携帯に非常に便利である。
【００２０】
さらに、この場合、ヒーターへの通電を入切制御する制御部が、タンブラー本体側に配置された態様では、給電制御台側を簡単な構造とすることができる。
【００２１】
また、本考案の加熱機能付きタンブラーは、
前記タンブラー本体の底部には、本体側着脱嵌合部を備え、
前記給電制御台には、前記本体側着脱嵌合部と嵌合する給電嵌合部を備え、
前記本体側着脱嵌合部に備えられたヒーター給電端子と、前記給電制御台に備えられたヒーター給電端子とが電気的に接続可能に構成されていることを特徴とする。
【００２２】
これにより、コンセントに接続された給電制御台のヒーター給電端子から、本体側着脱嵌合部に備えられたヒーター給電端子を介して、タンブラー本体内に配置されたヒーターに通電することができ、タンブラー本体に収容した液体を加熱することが可能となる。
【００２３】
また、本考案の加熱機能付きタンブラーは、
前記本体側着脱嵌合部に備えられたセンサー給電端子と、前記給電制御台に備えられたセンサー給電端子とが電気的に接続可能に構成されていることを特徴とする。
【００２４】
このように構成することによって、本体側着脱嵌合部に備えられたセンサー給電端子と、給電制御台に備えられたセンサー給電端子とが電気的に接続されるので、タンブラー本体内に配置された温度センサーによって、ヒーターによって加熱された液体の温度が感知される。
【００２５】
これにより、給電制御台、あるいはタンブラーに備えられた制御部により、温度センサーの検知温度に基づいて、ヒーターへの通電を入切制御され、タンブラー本体の内部に収容された液体を所定の温度に加熱することができる。
【００２６】
また、本考案の加熱機能付きタンブラーは、
前記給電制御台には、前記タンブラー本体の下部を支持する外周フランジが形成されていることを特徴とする。
【００２７】
このように構成することによって、給電制御台に形成された外周フランジによって、タンブラー本体の下部を支持するので、タンブラー本体の底部を給電制御台に装着した際に、タンブラー本体を安定して支持することができる。
【００２８】
これにより、タンブラー本体に収容した液体を加熱する際に、タンブラー本体が倒れることがなく、タンブラー本体に収容した液体が外部にこぼれて周囲を汚染することなく、安全である。
【考案の効果】
【００２９】
タンブラー本体の内部に、例えば、お茶、コーヒー、紅茶、水、牛乳などの液体を収容して、タンブラー本体の底部を給電制御台に装着する。これにより、タンブラー本体内のヒーターに通電され、タンブラー本体に収容した液体を加熱することができる。
【００３０】
また、タンブラー本体内に配置された温度センサーによって、ヒーターによって加熱された液体の温度が感知され、給電制御台またはタンブラー本体内に備えられた制御部により、温度センサーの検知温度に基づいて、ヒーターへの通電を入切制御され、タンブラー本体の内部に収容された液体を所定の温度に加熱することができる。
【００３１】
従って、このように所定の温度に加熱された液体を収容したタンブラー本体を、給電制御台から取り外すことによって、タンブラーとして、保温性、携帯性に優れ、そのまま直接飲用でき、通勤、通学、小旅行などに広範に使用することができる。
【００３２】
さらに、一定温度に加熱したお茶、コーヒー、紅茶、お湯、牛乳などの液体を別途準備したコップなどに移し替える必要がなく、そのまま直接飲用することができ便利である。
【００３３】
しかも、この場合、別途、薬缶などで沸かして一定温度に加熱したお茶などを準備する必要がなく、極めて便利である。
【００３４】
また、いったんタンブラー本体内に収容した液体は、時間が経過するとともに、温度が低下するが、本考案のタンブラーでは、タンブラー本体の底部を給電制御台に再び装着することによって、このように温度が低下したタンブラー本体内の液体を再び加熱することができ、非常に便利である。
【図面の簡単な説明】
【００３５】
【図１】図１は、本考案の加熱機能付きタンブラーの正面図である。
【図２】図２は、図１の加熱機能付きタンブラーの背面図である。
【図３】図３は、図１の加熱機能付きタンブラーの右側面図である。
【図４】図４は、図１の加熱機能付きタンブラーの左側面図である。
【図５】図５は、図１の加熱機能付きタンブラーの平面図である。
【図６】図６は、図１の加熱機能付きタンブラーのタンブラー本体の底面図である。
【図７】図７は、考案の加熱機能付きタンブラーの給電制御台の平面図である。
【図８】図８は、加熱機能付きタンブラーの底面図である。
【図９】図９は、図１の加熱機能付きタンブラーの使用状態を説明する分解斜視図である。
【図１０】図１０は、本考案の加熱機能付きタンブラーの回路図である。
【図１１】図１１は、本考案の別の実施例の加熱機能付きタンブラーのタンブラー本体の正面図である。
【図１２】図１２は、本考案の別の実施例の加熱機能付きタンブラーの回路図である。
【図１３】図１３は、従来の電気ケトルの分解斜視図である。
【考案を実施するための形態】
【００３６】
以下、本考案の実施の形態（実施例）を図面に基づいてより詳細に説明する。
【００３７】
図１は、本考案の加熱機能付きタンブラーの正面図、図２は、図１の加熱機能付きタンブラーの背面図、図３は、図１の加熱機能付きタンブラーの右側面図、図４は、図１の加熱機能付きタンブラーの左側面図、図５は、図１の加熱機能付きタンブラーの平面図、図６は、図１の加熱機能付きタンブラーのタンブラー本体の底面図、図７は、考案の加熱機能付きタンブラーの給電制御台の平面図、図８は、加熱機能付きタンブラーの底面図、図９は、図１の加熱機能付きタンブラーの使用状態を説明する分解斜視図、図１０は、本考案の加熱機能付きタンブラーの回路図である。
【００３８】
図１〜図１０において、符号１０は、全体で本考案の加熱機能付きタンブラーを示している。
【００３９】
図１〜図９に示したように、本考案の加熱機能付きタンブラー１０は、図示しないが、内部に液体を収容する収容部を備え、例えば、真空構造などで構成された保温性を有し、ボトル形状のタンブラー本体１２を備えている。
【００４０】
また、タンブラー本体１２は、例えば、ネジ式、スナップフィット式などで、タンブラー本体１２の口部に着脱自在に構成された蓋部１４を備えている。この蓋部１４をタンブラー本体１２の口部から取り外すことによって、タンブラー本体１２の口部の開口部から、例えば、お茶、コーヒー、紅茶、水、牛乳などの液体を、タンブラー本体１２の収容部に収容することができるようになっている。
【００４１】
さらに、この蓋部１４には、タンブラー本体１２の収容部と連通する小径の連通孔１６が形成されている。そして、図５の矢印で示したように、この連通孔１６を開閉することができるように、スライド部材１８が、タンブラー本体１２にスライド可能に装着されている。
【００４２】
このスライド部材１８に形成した把持用凹部１８ａに形成した把持部１８ｂを指で引っ掛けて、スライド部材１８をスライドして、連通孔１６を開くことによって、タンブラー本体１２の収容部に収容した液体を、口で直接、連通孔１６を介して飲んだり、別途用意したコップ、カップなどに注ぐことができるように構成されている。なお、図５中、１８ｃは、スライド部材１８を閉じる側にスライドした際に、連通孔１６を閉じてシールするための下方（内側）に突設する突設部を示している。
【００４３】
なお、この実施例では、蓋部１４に、連通孔１６、スライド部材１８を設けるように構成したが、このような連通孔１６、スライド部材１８を設けずに、蓋部１４をタンブラー本体１２の口部から取り外すことによって、タンブラー本体１２の口部の開口部から、タンブラー本体１２の収容部に収容した液体を、口で直接、連通孔１６を介して飲んだり、別途用意したコップ、カップなどに注ぐことができるように構成することも可能である。
【００４４】
そして、タンブラー本体１２内には、図１０に示したように、タンブラー本体１２の収容部に収容した液体を加熱するヒーター２０が設けられている。この場合、ヒーター２０としては、特に限定されるものではなく、例えば、シリコンラバーヒーター、ニクロム線ヒーター、シーズヒーターなど公知のヒーターを使用することができる。
【００４５】
また、タンブラー本体１２内には、図１０に示したように、ヒーター２０によって加熱された液体の温度を感知する温度センサー２２が設けられている。
【００４６】
さらに、タンブラー本体１２の底部２４には、図６に示したように、同心円状に形成された複数個の突設形状の本体側着脱嵌合部２６が形成されている。そして、この本体側着脱嵌合部２６の間に形成された凹部２８内には、図１０に示したように、ヒーター給電端子３０と、センサー給電端子３２とが形成されている。
【００４７】
さらに、本考案の加熱機能付きタンブラー１０は、図１、図９に示したように、裁頭円錐台形状の給電制御台３４を備えている。この給電制御台３４には、その背面側の底部近傍に電源コード３６が設けられているとともに、その正面側に電源ランプ３８が埋設されている。
【００４８】
そして、給電制御台３４には、図９に示したように、外周フランジ４０が形成されており、この外周フランジ４０内に、嵌合用凹部４２が形成されている。また、この嵌合用凹部４２の底部には、同心円状に形成された複数個の突設形状の給電嵌合部４４が形成されている。そして、この給電嵌合部４４の間に形成された凹部４６内には、図１０に示したように、ヒーター給電端子４８と、センサー給電端子５０とが形成されている。
【００４９】
さらに、給電制御台３４内には、図１０に示したように、温度センサー２２の検知温度に基づいて、ヒーター２０への通電を入切制御する制御部５２が設けられている。
【００５０】
このように構成することによって、タンブラー本体１２の底部２４を、給電制御台３４の嵌合用凹部４２に装着した際に、タンブラー本体１２の底部２４の本体側着脱嵌合部２６が、給電制御台３４の給電嵌合部４４の間に形成された凹部４６内に嵌合する。また、給電制御台３４の給電嵌合部４４が、タンブラー本体１２の底部２４の本体側着脱嵌合部２６の間に形成された凹部２８内に嵌合する。
【００５１】
これにより、図１０に示したように、本体側着脱嵌合部２６に備えられたヒーター給電端子３０と、給電制御台３４に備えられたヒーター給電端子４８とが電気的に接続可能となっている。また、本体側着脱嵌合部２６に備えられたセンサー給電端子３２と、給電制御台３４に備えられたセンサー給電端子５０とが電気的に接続可能に構成されている。
【００５２】
これにより、電源コード３６を介して、コンセントに接続された給電制御台３４のヒーター給電端子４８から、本体側着脱嵌合部２６に備えられたヒーター給電端子３０を介して、タンブラー本体１２内に配置されたヒーター２０に通電することができ、タンブラー本体１２に収容した液体を加熱することが可能となる。
【００５３】
また、この際、本体側着脱嵌合部２６に備えられたセンサー給電端子３２と、給電制御台３４に備えられたセンサー給電端子５０とが電気的に接続されるので、タンブラー本体１２内に配置された温度センサー２２によって、ヒーター２０によって加熱された液体の温度が感知される。
【００５４】
これにより、給電制御台３４に備えられた制御部５２により、温度センサー２２の検知温度に基づいて、ヒーター２０への通電を入切制御され、タンブラー本体１２の内部に収容された液体を所定の温度に加熱することができる。
【００５５】
すなわち、蓋部１４をタンブラー本体１２の口部から取り外すことによって、タンブラー本体１２の内部に、例えば、お茶、コーヒー、紅茶、水、牛乳などの液体を収容して、タンブラー本体１２の底部２４を給電制御台３４に装着する。これにより、タンブラー本体１２内のヒーター２０に通電され、タンブラー本体１２に収容した液体を加熱することができる。
【００５６】
また、タンブラー本体１２内に配置された温度センサー２２によって、ヒーター２０によって加熱された液体の温度が感知され、給電制御台３４に備えられた制御部５２により、温度センサー２２の検知温度に基づいて、ヒーター２０への通電を入切制御され、タンブラー本体１２の内部に収容された液体を所定の温度に加熱することができる。
【００５７】
従って、このように所定の温度に加熱された液体を収容したタンブラー本体１２を、給電制御台３４から取り外すことによって、タンブラーとして、保温性、携帯性に優れ、そのまま直接飲用でき、通勤、通学、小旅行などに広範に使用することができる。
【００５８】
さらに、一定温度に加熱したお茶、コーヒー、紅茶、お湯、牛乳などの液体を別途準備したコップなどに移し替える必要がなく、そのまま直接飲用することができ便利である。
【００５９】
しかも、この場合、別途、薬缶などで沸かして一定温度に加熱したお茶などを準備する必要がなく、極めて便利である。
【００６０】
また、いったんタンブラー本体１２内に収容した液体は、時間が経過するとともに、温度が低下するが、本考案のタンブラーでは、タンブラー本体１２の底部２４を給電制御台３４に再び装着することによって、このように温度が低下したタンブラー本体１２内の液体を再び加熱することができ、非常に便利である。
【００６１】
さらに、この場合、ヒーター２０への通電を入切制御する制御部５２が、給電制御台３４側に配置されるので、タンブラー本体１２側を簡単な構造とすることができ、軽量化が図れ、携帯に非常に便利である。
【００６２】
また、給電制御台３４に形成された外周フランジ４０によって、タンブラー本体１２の下部５６を支持するので、タンブラー本体１２の底部２４を給電制御台３４に装着した際に、タンブラー本体１２を安定して支持することができる。
【００６３】
これにより、タンブラー本体１２に収容した液体を加熱する際に、タンブラー本体１２が倒れることがなく、タンブラー本体１２に収容した液体が外部にこぼれて周囲を汚染することなく、安全である。
【００６４】
なお、この実施例では、制御部５２により、温度センサー２２の検知温度に基づいて、ヒーター２０への通電を入切制御される際に、電源ランプ３８を点灯または消灯して、使用者が視認できるようにすれば、使用者にタンブラー本体１２の内部に収容された液体を所定の温度に加熱されたことが分かり便利である。
【００６５】
また、この際、このような電源ランプ３８の代わりに、または、電源ランプ３８とともに、例えば、チャイムなどの音声により使用者に指示するようにすれば便利である。
【００６６】
さらに、図１１に示したように、タンブラー本体１２に、縦長の窓部５４を設けて、タンブラー本体１２の内部に収容された液体の量を視認できるようにすれば、いわゆる「空焚き」を防止することができ便利である。
【００６７】
さらに、図示しないが、タイマーなどの安全装置を設けておき、電源スイッチのボタンを押して、タンブラー本体１２の内部に収容した液体が設定温度に加熱された後、例えば、１０分以後には、再び加熱しないような安全装置を設けておくことも可能である。
【００６８】
さらに、温度センサー２２の他、例えば、温度ヒューズを設けておき、一定温度範囲に（例えば、１２２℃〜１２２℃の範囲に）タンブラー本体１２の内部に収容した液体が維持されるようにすることも可能である。
【００６９】
図１２は、本考案の別の実施例の加熱機能付きタンブラーの回路図である。
である。
【００７０】
この実施例の加熱機能付きタンブラー１０は、図１〜図１１に示した実施例の加熱機能付きタンブラー１０と基本的には同様な構成であり、同一の構成部材には、同一の参照番号を付して、その詳細な説明を省略する。
【００７１】
図１〜図１１に示した実施例の加熱機能付きタンブラー１０では、給電制御台３４に備えられた制御部５２により、温度センサー２２の検知温度に基づいて、ヒーター２０への通電を入切制御され、タンブラー本体１２の内部に収容された液体を所定の温度に加熱するように構成したが、この実施例の加熱機能付きタンブラー１０では、図１２に示したように、タンブラー本体１２内に、温度センサー２２の検知温度に基づいて、ヒーター２０への通電を入切制御する制御部５２を設けており、温度センサー２２と制御部５２が直接接続されている。
【００７２】
従って、タンブラー本体１２の底部２４を、給電制御台３４の嵌合用凹部４２に装着した際に、本体側着脱嵌合部２６に備えられたヒーター給電端子３０と、給電制御台３４に備えられたヒーター給電端子４８のみが電気的に接続可能となっている。
【００７３】
また、この場合には、タンブラー本体１２に制御部５２と接続するように電源ランプ３８を設ければよい。なお、図示しないが、給電制御台３４に電源ランプ３８を設けて、タンブラー本体１２の制御部５２と接続するようにすることももちろん可能である。
【００７４】
このように構成することによって、蓋部１４をタンブラー本体１２の口部から取り外すことによって、タンブラー本体１２の内部に、例えば、お茶、コーヒー、紅茶、水、牛乳などの液体を収容して、タンブラー本体１２の底部２４を給電制御台３４に装着する。これにより、タンブラー本体１２内のヒーター２０に通電され、タンブラー本体１２に収容した液体を加熱することができる。
【００７５】
また、タンブラー本体１２内に配置された温度センサー２２によって、ヒーター２０によって加熱された液体の温度が感知され、タンブラー本体１２内に配置された制御部５２により、温度センサー２２の検知温度に基づいて、ヒーター２０への通電を入切制御され、タンブラー本体１２の内部に収容された液体を所定の温度に加熱することができる。
【００７６】
従って、このように所定の温度に加熱された液体を収容したタンブラー本体１２を、給電制御台３４から取り外すことによって、タンブラーとして、保温性、携帯性に優れ、そのまま直接飲用でき、通勤、通学、小旅行などに広範に使用することができる。
【００７７】
さらに、そのまま直接飲用できるので、一定温度に加熱したお茶、コーヒー、紅茶、お湯、牛乳などの液体を別途準備したコップなどに移し替える必要がなく、そのまま直接飲用することができ便利である。
【００７８】
しかも、この場合、別途、薬缶などで沸かして一定温度に加熱したお茶などを準備する必要がなく、極めて便利である。
【００７９】
また、いったんタンブラー本体１２内に収容した液体は、時間が経過するとともに、温度が低下するが、本考案のタンブラーでは、タンブラー本体１２の底部２４を給電制御台３４に再び装着することによって、このように温度が低下したタンブラー本体１２内の液体を再び加熱することができ、非常に便利である。
【００８０】
以上、本考案の好ましい実施の態様を説明してきたが、本考案はこれに限定されることはなく、例えば、上記実施例では、ボトル形状のタンブラー本体１２としたが、カップ形状などその他の形状とすることが可能であり、また、真空断熱構造以外にも、断熱材を用いた断熱構造、断熱材を用いない構造とすることもでき、ステンレス、合成樹脂から構成することも可能である。
【００８１】
また、上記実施例では、タンブラー本体１２の底部２４に、同心円状に形成された複数個の突設形状の本体側着脱嵌合部２６と、給電制御台３４に、同心円状に形成された複数個の突設形状の給電嵌合部４４との嵌合構造としたが、図１３に示したような従来の給電台本体１０６の上面中央部から上方に突出する電気接続端子部１０８のような構造とすることも可能であるなど本考案の目的を逸脱しない範囲で種々の変更が可能である。
【産業上の利用可能性】
【００８２】
本考案は、保温性を有するタンブラー内に収容した、例えば、お茶、コーヒー、紅茶、水、牛乳などの液体を一定温度に加熱することが可能な加熱機能付きタンブラーを提供することができる。
【符号の説明】
【００８３】
１０    タンブラー
１２    タンブラー本体
１４    蓋部
１６    連通孔
１８    スライド部材
１８ａ    把持用凹部
１８ｃ    突設部
１８ｂ    把持部
２０    ヒーター
２２    温度センサー
２４    底部
２６    本体側着脱嵌合部
２８    凹部
３０    ヒーター給電端子
３２    センサー給電端子
３４    給電制御台
３６    電源コード
３８    電源ランプ
４０    外周フランジ
４２    嵌合用凹部
４４    給電嵌合部
４６    凹部
４８    ヒーター給電端子
５０    センサー給電端子
５２    制御部
５４    窓部
５６    下部
１００    電気ケトル
１０２    給電台
１０４    ケトル本体
１０６    給電台本体
１０８    電気接続端子部
１１０    電源コード
１１２    ケトル胴体
１１４    底体
１１６    蓋体
１１８    内容器
【図１】
0003178503.tif 000003
【図２】
0003178503.tif 000004
【図３】
0003178503.tif 000005
【図４】
0003178503.tif 000006
【図５】
0003178503.tif 000007
【図６】
0003178503.tif 000008
【図７】
0003178503.tif 000009
【図８】
0003178503.tif 000010
【図９】
0003178503.tif 000011
【図１０】
0003178503.tif 000012
【図１１】
0003178503.tif 000013
【図１２】
0003178503.tif 000014
【図１３】
0003178503.tif 000015
【手続補正書】
【提出日】平成24年7月12日(2012.7.12)
【手続補正１】
【補正対象書類名】実用新案登録請求の範囲
【補正対象項目名】全文
【補正方法】変更
【補正の内容】
【実用新案登録請求の範囲】
【請求項１】
内部に液体を収容可能で、保温性を有するタンブラー本体と、
前記タンブラー本体内に配置され、タンブラー本体に収容した液体を加熱するヒーターと、
前記タンブラー本体内に配置され、前記ヒーターによって加熱された液体の温度を感知する温度センサーと、
前記タンブラー本体の底部を着脱自在に装着可能で、前記タンブラー本体内のヒーターに通電する給電制御台と、
前記給電制御台またはタンブラー本体内に配置され、前記温度センサーの検知温度に基づいて、ヒーターへの通電を入切制御する制御部と、
を備えることを特徴とする加熱機能付きタンブラー。
【請求項２】
前記タンブラー本体の底部には、本体側着脱嵌合部を備え、
前記給電制御台には、前記本体側着脱嵌合部と嵌合する給電嵌合部を備え、
前記本体側着脱嵌合部に備えられたヒーター給電端子と、前記給電制御台に備えられたヒーター給電端子とが電気的に接続可能に構成されていることを特徴とする請求項１に記載の加熱機能付きタンブラー。
【請求項３】
前記本体側着脱嵌合部に備えられたセンサー給電端子と、前記給電制御台に備えられたセンサー給電端子とが電気的に接続可能に構成されていることを特徴とする請求項２に記載の加熱機能付きタンブラー。
【請求項４】
前記給電制御台には、前記タンブラー本体の下部を支持する外周フランジが形成されていることを特徴とする請求項１から３のいずれかに記載の加熱機能付きタンブラー。